(57)【要約】【課題】  良好な管強度を有し、かつ製造が容易である傘軸を提供する。【解決手段】  少なくとも１つの上部管（あるいは内側管）１と、入れ子式に上部管１と連結自在である下部管（あるいは外側管）２と、上部連結手段３と、下部連結手段４とを有する折畳み傘用傘軸である。上部連結手段３は、下部管２の上部に設けられており、傘を開くために下部管２の上部２１に保持される際に、上部管１と係合する。下部連結手段４は、下部管２の下部２２に設けられており、傘を閉じるために下部管２の下部２２に収容される際に、上部管１と連結する。【選択図】            図２
0003107213.tif 000002
【実用新案登録請求の範囲】
【請求項１】
少なくとも１つの上部管と、少なくとも１つの下部管と、上部連結手段と、下部連結手段とを有し、
前記下部管は、入れ子式に前記上部管と連結自在であり、
前記上部連結手段は、前記下部管の上部に設けられており、前記上部管を前記下部管の上方に位置決めして傘を開く際に、前記上部管の下部に設けられる連結ヘッド部と連結し、
前記下部連結手段は、前記下部管の下部に設けられており、前記上部管を後退させて、前記下部管の内部を収容し、傘を閉じる際に、前記上部管の前記連結ヘッド部と連結する
ことを特徴とする折畳み傘用傘軸。
【請求項２】
前記上部連結手段は、上部プラグおよび上部カバーを有し、
前記上部プラグは、前記下部管の上部開口部に設けられ、前記上部管の前記連結ヘッド部と連結し、
前記上部カバーは、前記下部管の前記上部開口部を覆っている
ことを特徴とする請求項１に記載の折畳み傘用傘軸。
【請求項３】
前記上部連結手段は、前記上部プラグに設けられる雌ねじ穴部を有し、
前記雌ねじ穴部は、前記上部管の前記連結ヘッド部の雄ねじ部である上部連結部位と係合することを特徴とする請求項２に記載の折畳み傘用傘軸。
【請求項４】
前記下部連結手段は、下部プラグおよび下部カバーを有し、
前記下部プラグは、前記下部管の下部開口部に設けられ、前記上部管の前記連結ヘッド部と係合し、
前記下部カバーは、前記下部管の前記下部開口部を覆う
ことを特徴とする請求項１に記載の折畳み傘用傘軸。
【請求項５】
前記下部連結手段は、前記下部プラグに設けられる雄ねじステムを有し、前記雄ねじステムは、前記上部管の前記連結ヘッド部の下部部位に設けられる雌ねじ穴部と係合することを特徴とする請求項４に記載の折畳み傘用傘軸。
【請求項６】
前記上部連結手段は、前記上部プラグの内側の穴部の円筒状表面において、円周方向に形成される凹部からなる複数のラッチキャビティおよびガイドスロットを有し、
前記上部管は、前記上部管の下部において直径方向に設けられる少なくとも一対のラッチを有し、
前記ラッチは、前記上部連結手段に設けられる前記ラッチキャビティと、それぞれ操作的に係合することで、前記下部管の上方に前記上部管を位置決めし、
前記ラッチキャビティは、前記上部連結手段の前記上部プラグにおいて弓状に形成される前記ガイドスロットと、それぞれ連通しており、
前記下部管の内部で前記上部管を回転させる場合、前記ラッチは、前記ラッチキャビティにスライド式に誘導されることを特徴とする請求項２に記載の折畳み傘用傘軸。
【請求項７】
前記下部連結手段は、前記下部プラグに円周方向に形成される凹部からなる複数のラッチキャビティおよびガイドスロットを有し、傘を閉じるために前記上部管を下部管に後退させる際に、前記上部管の下部に設けられるラッチと係合し、
前記ラッチキャビティは、前記下部連結手段の前記下部プラグにおいて弓状に形成される前記ガイドスロットと、それぞれ連通しており、
前記下部管の内部で前記上部管を回転させる場合、前記ラッチは、前記ラッチキャビティにスライド式に誘導されることを特徴とする請求項４に記載の折畳み傘用傘軸。
【請求項８】
前記上部連結手段および前記下部連結手段は、前記上部連結手段および前記下部連結手段に形成される凹部からなるグルーブを有し、前記上部管の連結プラグに設けられる弾性球状部材と係合することを特徴とする請求項１に記載の折畳み傘用傘軸。
【請求項９】
前記弾性球状部材は、前記連結ヘッド部に設けられ、あるいは、前記上部管の前記連結ヘッド部に設けられるばね部材によって保持されることを特徴とする請求項８に記載の折畳み傘用傘軸。
【請求項１０】
前記上部連結手段および前記下部連結手段は、エラストマ材料から形成され、前記上部管の前記連結ヘッド部を、摩擦的かつ弾性的に保持することを特徴とする請求項１に記載の折畳み傘用傘軸。
【請求項１１】
前記上部連結手段および前記下部連結手段は、前記上部連結手段および前記下部連結手段に形成される凹部からなるグルーブを有し、前記上部管の前記連結ヘッド部は、前記グルーブと操作的に係合する係合リングを有することを特徴とする請求項１０に記載の折畳み傘用傘軸。
【考案の詳細な説明】
【技術分野】
【０００１】
本考案は、折畳み傘用傘軸に関する。
【背景技術】
【０００２】
従来の折畳み傘は、互いに入れ子式に連結自在な複数の中空管を含んでいる。中空管は、少なくとも１つの球状部材が弾性的に保持されている内側管と、少なくとも１つの球状穴部が形成されている外側管とを有する。内側管の球状部材と、外側管の球状穴部を係合することにより、内側管と外側管とは、操作的に連結されるため、内側管および外側管は、安定的に連結される。
【考案の開示】
【考案が解決しようとする課題】
【０００３】
しかし、傘軸の管に設けられる球状穴部は、管の強度を低下させるため、簡単に損傷を受けたり、変形させられたりする虞がある。また、生産上の複雑さおよびコストが、増加する虞がある。
【０００４】
本考案の発明者は、従来の傘軸の上記欠点を見つけて、軸管の球状穴部を除去あるいは最小化すことで、管強度を増加させ得る折畳み傘用傘軸を発明した。つまり、本考案は、上記従来技術に伴う課題を解決するためになされたものであり、良好な管強度を有し、かつ製造が容易である傘軸を提供することを目的とする。
【課題を解決するための手段】
【０００５】
上記目的を達成するための本考案は、
少なくとも１つの上部管（あるいは内側管）と、少なくとも１つの下部管（あるいは外側管）と、上部連結手段と、下部連結手段とを有し、
前記下部管は、入れ子式に前記上部管と連結自在であり、
前記上部連結手段は、前記下部管の上部に設けられており、前記上部管を前記下部管の上方に位置決めして傘を開く際に、前記上部管の下部に設けられる連結ヘッド部と連結し（傘を開くために前記下部管の上部に保持される際に、前記上部管と係合し）、
前記下部連結手段は、前記下部管の下部に設けられており、前記上部管を後退させて、前記下部管の内部を収容し、傘を閉じる際に、前記上部管の前記連結ヘッド部と連結する（傘を閉じるために前記下部管の下部に後退および収容される際に、前記上部管と連結する）
ことを特徴とする折畳み傘用傘軸である。
【考案の効果】
【０００６】
上記のように構成した本考案によれば、上部連結手段および下部連結手段が、下部管の内部に設けられている。そのため、管を貫通する穴部を形成することなく、下部管の上方に位置決めされる、あるいは下部管に収容される上部管が連結される。したがって、管強度は減少せず、また、傘軸の製造は単純になる。つまり、良好な管強度を有し、かつ製造が容易である傘軸を提供することができる。
【考案を実施するための最良の形態】
【０００７】
以下、本考案の実施の形態を、図面を参照しつつ説明する。
【０００８】
図１は、本考案の実施の形態に係る傘が開いた状態を説明するための側面図、図２は、図１の傘が開いた場合における断面図、図３は、図１の傘が開いた状態と閉じた状態の間における中間状態を示している断面図、図４は、図１の傘が閉じた状態を示している断面図である。
【０００９】
本考案に係る折畳み傘用傘軸は、上部管（あるいは内側管）１、下部管（あるいは外側管）２、上部連結手段３、下部連結手段４、および骨アセンブリ５を有する。下部管２は、入れ子式に上部管１と連結自在である。上部連結手段３は、下部管２の上部２１に設けられており、上部管１に設けられる連結ヘッド部１１の上部連結部位１２と連結し、図１および図２に示されるように、傘を開いたり、開いた傘を維持したりする。
【００１０】
下部連結手段４は、下部管２の下部２２に設けられており、上部管１に設けられる連結ヘッド部１１の下部連結部位１３と連結することで、下部管２の内部２０に下部管２を収容し、図４に示されるように、傘を閉じる。骨アセンブリ５は、上部管１に旋回自在に固定されている。
【００１１】
上部連結手段３は、上部プラグ３１、雌ねじ穴部３２および上部カバー３３を有する。上部プラグ３１は、下部管２の上部２１の上部開口部１１１に設けられる。雌ねじ穴部３２は、上部プラグ３１に設けられる。上部カバー３３は、下部管２の上部開口部を覆っている。
【００１２】
連結ヘッド部１１は、上部管１の下部に、固定ピン１０によって固定（あるいは形成）されており、上部連結部位１２を有する。上部連結部位１２は、雄ねじ部として形成されており、上部連結手段３に設けられる雌ねじ穴部３２と係合し、下部管２の上部２１における上部管１の連結ヘッド部１１と係合し、傘を開ける際において、図１および図２に示されるように、下部管２の上方に上部管１を安定的に保持する。
【００１３】
下部連結手段４は、下部プラグ４１、雄ねじステム４２および下部カバー４３を有する。下部プラグ４１は、下部管２の下部２２の下部開口部２２１に設けられている。雄ねじステム４２は、下部連結手段４の中央部位に設けられており、図４に示されるように、上部管１の連結ヘッド部１１の下部部位に設けられる雌ねじ穴部（下部連結部位）１３と係合する。下部カバー４３は、下部管２の下部開口部を覆う。
【００１４】
図１（あるいは図２）における開いている状態から、傘を閉じるあるいは折畳む場合、上部管１の上部連結部位１２は、上部連結手段３に設けられる雌ねじ穴部３２から解放（分離）され、上部管１は、後退し、下部管２の内部２０に収容され、したがって、傘軸の上部管１および下部管２は、入れ子される。
【００１５】
傘を開く場合は、上部管１の連結ヘッド部１１は、下部連結手段４から解放される。そして、上部管１は、上昇し、上部管１の連結ヘッド部１１を上部連結手段３に連結することで、下部管２の上方に保持される（図４から図２）。したがって、傘が安定して開かれ、あるいは、開かれた傘が、安定的に保持される。
【００１６】
上部連結手段３および下部連結手段４は、上部管１および下部管２を貫通する穴部（例えば、従来の傘軸に見られる「球状穴部」であり、当該球状穴部は、外側管に設けられ、内側管に弾性的に保持される球状部材と連結される）を形成することなく、下部管２の内部に設けられている。したがって、管の強度の低下を防ぎ、傘の耐用寿命を延長する。また、傘を製造するための生産が、単純となり、生産コストを減少させる。
【００１７】
図５は、本考案に係る別の実施の形態に係る傘を説明するため断面図、図６は、図５の部分拡大図である。
【００１８】
本実施の形態においては、上部管１の連結ヘッド部１１は、上部管１の下部において直径方向に設けられる一対のラッチ１１ａから構成されるように、変形されている。ラッチ１１ａは、対応するラッチキャビティ３２ａに、それぞれ係合あるいはロックされる。ラッチキャビティ３２ａは、複数であり、上部連結手段３の上部プラグ３１の内側の穴部の円筒状表面において、円周方向に形成される凹部からなる。
【００１９】
各ラッチキャビティ３２ａは、上部プラグ３１の内側の穴部の円筒状表面において、弓状（円弧状）に形成されるガイドスロットと連通している。特に図６に示されるように、下部管２の内部で上部管１を回転させる場合、各ラッチ１１ａは、スライド式に誘導され、各ラッチキャビティ３２ａと係合およびロックされ、図５に示されるように、下部管２の上方に、上部管１を安定的にロックする。
【００２０】
下部管２の内部で上部管１を逆方向に回転させ、ラッチ１１ａを対応するラッチキャビティ３２ａから解放することによって、上部管１は、下部管２から解放あるいは「ロック解除」され、下部管２の内部２０に後退することで、上部管１および下部管２は、重なり（入れ子され）、傘が閉じられる。
【００２１】
下部連結手段４は、複数のラッチキャビティ４２ａを有する。ラッチキャビティ４２ａは、下部連結手段４の下部プラグ４１の内側の穴部の円筒状表面において、円周方向に形成される凹部からなり、傘を閉じるために上部管１が下部管２に後退する際に、上部管１に設けられる各ラッチ１１ａを係合あるいはロックし、上部管１を連結する。
【００２２】
図７は、本考案に係る別の実施の形態に係る傘を説明するため断面図であり、傘が開いた状態と閉じた状態の間における中間状態を示している。
【００２３】
上部管１の連結ヘッド部１１は、ばね部材１２ｂの自由端に固定される弾性球状部材１２ａによって構成されるように、変更されており、中実の上部管１の下部に取付けられる短いスリーブ１０ａに収容される。ばね部材１２ｂは、スリーブ１０ａの下部に設けられるリテーナ１４に保持される。また、リテーナ１４は、上部管１の下部（スリーブ１０ａおよび球状部材１２ａ）を規制するためのストッパとして機能し、下部管２から上部管１が分離することを防止する。
【００２４】
下部管２の上方に上部管１を上昇させ、傘を開ける場合、弾性球状部材１２ａは、ばね部材１２ｂによって付勢され、また、スリーブ１０ａに設けられる穴部１００を経由して外部に向かって突出している。そのため、上部連結手段３の上部プラグ３１に設けられる凹部であるグルーブ（あるいは球状キャビティ）３２と、係合させられ、下部管２の上方の上部管１の連結ヘッド部１１と安定的に係合し、傘が開く。
【００２５】
同様に、グルーブ３２から球状部材１２ａを解放し、上部管１を上部連結手段３から分離する場合、上部管１は、下部管２の内部２０に後退することで、下部連結手段４の下部プラグ４１に形成される凹部である下部グルーブ４２ａと、球状部材１２ａとを係合させ、そして、上部管１の結合プラグ１１と、下部管２に設けられる下部連結手段４とを安定的に連結させ、傘を閉じる。
【００２６】
図８は、図７の実施の形態に係る変形例を説明するための断面図であり、中空の上部管を示している。
【００２７】
本変形例においては、弾性球状部材１２ａおよびばね部材１２ｂは、中空の上部管１に直接的に設けられているため、図７に示される下部スリーブ１０ａを省略することができる。リテーナ１４は、直接的に中空管１の下部に固定される。球状穴部１００が、上部管１の下部に設けられているが、下部管（あるいは外側管）２には、「球状穴部」が設けられていない。したがって、管強度は、ほとんど低下しない。
【００２８】
図９は、本考案に係る別の実施の形態に係る傘を説明するため断面図であり、傘が開いた状態を示している。
【００２９】
２つの弾性球状部材１２ａは、２つのスプリングアーム（あるいはばね部材）１２ｂに設けられる。スプリングアーム１２ｂは、上部管１の下部部位から下方に突出している。２つの球状部材１２ａは、上部連結手段３に設けられるグルーブ（あるいは球状キャビティ）３２と係合する、あるいは、下部連結手段４に設けられる下部グルーブ（あるいは球状キャビティ）４２ａと係合する。
【００３０】
図１０は、図９の実施の形態に係る変形例を説明するための断面図である。
【００３１】
本変形例においては、２つの球状部材１２ａは、一対の弾性球状部材１２ａによって構成されるように変形されている。弾性球状部材１２ａは、上部管１の下部部位に、直径方向に設けられ、かつ引張ばね部材１２１によって弾性的に付勢されており、上部連結手段３（あるいは下部連結手段４）のグルーブ３２（下部グルーブ４２ａ）と、それぞれ係合する。
【００３２】
図１１は、図９の実施の形態に係る別の変形例を説明するための断面図ある。
【００３３】
本変形例においては、２つの弾性球状部材１２ａは、Ｕ字状のばね部材１２ｂの２つのばね端に設けられる。ばね部材１２ｂは、上部管１の下部部位に保持され、グルーブ３２または下部グルーブ４２ａと係合する。球状部材１２ａの各々は、上部管１の下部部位を貫通して形成される球状穴部１００から外側に突出している。球状穴部は、上部管１に設けられているが、下部管２に形成されていない。したがって、傘軸の管強度に影響を及ぼさない。
【００３４】
図１２は、本考案に係る別の実施の形態に係る傘を説明するため断面図であり、傘が開いた状態を示している。
【００３５】
本実施の形態においては、上部連結手段３は、エラストマ材料から形成されるように変形されており、グルーブ３２と、係合リング１１ｂとして形成される上部管１の連結ヘッド部１１とを有する。グルーブ３２は、エラストマ材料から形成される上部プラグ３１に環状に形成される凹部である。
【００３６】
係合リング１１ｂは、傘を開く場合、グルーブ３２と係合し、傘を閉じる場合、下部連結手段４に設けられる下部グルーブ４２ａと係合する。なお、上部管１の係合リング１１ｂは、上部連結手段３あるいは下部連結手段４のいずれか一方に、摩擦的に保持され、傘を開くあるいは閉じる。
【００３７】
上部管１は、回転による連結あるいは分離（図１〜６）や、弾性による係合または係合解除（図７〜１１）や、摩擦によるによる係合または係合解除（図１２）によって、下部管２に連結あるいは下部管２から分離されることが可能である。
【００３８】
なお、本考案は、上述した実施の形態に限定されるものではなく、実用新案登録請求の範囲の範囲内で種々改変することができる。
【００３９】
例えば、傘軸の管の重ね合せ数（入れ子数）、中実管あるいは中空管あること、および管を形成するための材料は、本考案において制限されない。
【図面の簡単な説明】
【００４０】
【図１】本考案の実施の形態に係る傘が開いた状態を説明するための側面図である。
【図２】図１の傘が開いた場合における断面図である。
【図３】図１の傘が開いた状態と閉じた状態の間における中間状態を示している断面図である。
【図４】図１の傘が閉じた状態を示している断面図である。
【図５】本考案に係る別の実施の形態に係る傘を説明するため断面図である。
【図６】図５の部分拡大図である。
【図７】本考案に係る別の実施の形態に係る傘を説明するため断面図であり、傘が開いた状態と閉じた状態の間における中間状態を示している。
【図８】図７の実施の形態に係る変形例を説明するための断面図であり、中空の上部管を示している。
【図９】本考案に係る別の実施の形態に係る傘を説明するため断面図であり、傘が開いた状態を示している。
【図１０】図９の実施の形態に係る変形例を説明するための断面図であり、
【図１１】図９の実施の形態に係る別の変形例を説明するための断面図ある。
【図１２】本考案に係る別の実施の形態に係る傘を説明するため断面図であり、傘が開いた状態を示している。
【符号の説明】
【００４１】
１・・上部管、
２・・下部管、
３・・上部連結手段、
４・・下部連結手段、
５・・骨アセンブリ、
１０・・固定ピン、
１０ａ・・下部スリーブ、
１１・・連結ヘッド部、結合プラグ、
１１ａ・・ラッチ、
１１ｂ・・係合リング、
１２・・上部連結部位、
１２ａ・・弾性球状部材、
１２ｂ・・スプリングアーム（あるいはばね部材）、
１３・・下部連結部位（雌ねじ穴部）、
１４・・リテーナ、
２０・・内部、
２１・・上部、
２２・・下部、
３１・・上部プラグ、
３２・・雌ねじ穴部、グルーブ（あるいは球状キャビティ）、
３２ａ・・ラッチキャビティ、
３３・・上部カバー、
４１・・下部プラグ、
４２・・雄ねじステム、
４２ａ・・ラッチキャビティ、下部グルーブ、
４３・・下部カバー、
１００・・球状穴部、
１１１・・上部開口部、
１２１・・引張ばね部材、
２２１・・下部開口部。
【図１】
0003107213.tif 000003
【図２】
0003107213.tif 000004
【図３】
0003107213.tif 000005
【図４】
0003107213.tif 000006
【図５】
0003107213.tif 000007
【図６】
0003107213.tif 000008
【図７】
0003107213.tif 000009
【図８】
0003107213.tif 000010
【図９】
0003107213.tif 000011
【図１０】
0003107213.tif 000012
【図１１】
0003107213.tif 000013
【図１２】
0003107213.tif 000014